(57)【要約】【課題】  安価に安定した無線データを伝送することの出来るエレベータのデータ伝送システムを提供する。【解決手段】  エレベータ制御装置２の通信インターフェース２０を、ハブ２１を介してエバネセント通信用アクセスポイント２２に接続する。ガイドレール１０ａまたは１０ｂのうち、少なくとも１本をエバネセント通信用アクセスポイント２２と接続して、エレベータ制御装置２の無線送受信用アンテナとして用いる。乗りかご３のかご内制御装置２６は無線送受信機２４に接続され、無線送受信機２４はかご外に設置される無線送受信用アンテナ２３に接続される。これにより、エバネセント通信を利用して、エレベータ制御装置用の無線送受信用アンテナとしてガイドレールを用いるため、乗りかごの無線送受信アンテナとの無線通信距離が固定され、安定した無線データ伝送を行うことが出来る。【選択図】  図１
2005280887.tif 000002
【特許請求の範囲】
【請求項１】
昇降路内にガイドレールを有し、エレベータ制御装置と乗りかごとのデータ伝送を無線で行うエレベータのデータ伝送システムにおいて、
昇降路内のガイドレールの内、少なくとも１本をエバネセント通信用アクセスポイントと接続し、乗りかごに送受信用アンテナを設けて、制御信号を無線伝送することを特徴とするエレベータのデータ伝送システム。
【請求項２】
複数のエレベータが横方向もしくは縦方向に移動可能な機能を有し、エレベータ制御装置あるいは群管理制御装置と、乗りかごとのデータ伝送を無線で行うエレベータのデータ伝送システムにおいて、
昇降路内のガイドレールの内、少なくとも１本をエバネセント通信用アクセスポイントと接続し、各々の乗りかごに送受信用アンテナを設けて、制御信号を無線伝送することを特徴とするエレベータのデータ伝送システム。
【請求項３】
昇降路内に、隣接する複数のエレベータが配置され、各々のエレベータが異なるガイドレールに沿って昇降し、エレベータ制御装置あるいは群管理制御装置と、乗りかごとのデータ伝送を無線で行うエレベータのデータ伝送システムにおいて、
昇降路内のガイドレールの内、ほぼ中央に位置する１本をエバネセント通信用アクセスポイントと接続し、各々の乗りかごに送受信用アンテナを設けて、制御信号を無線伝送することを特徴とするエレベータのデータ伝送システム。
【請求項４】
前記ガイドレールの内、少なくとも相対する一組のガイドレールを金属あるいは電線を用いて接続したことを特徴とする請求項１乃至請求項３のいずれかに記載のエレベータのデータ伝送システム。
【請求項５】
前記ガイドレールとガイドレールを建家に固定するブラケットの間に電波吸収材を設けたことを特徴とする請求項１乃至請求項４のいずれかに記載のエレベータのデータ伝送システム。
【請求項６】
１度に伝送可能な最大データ長を予め指示し、最大データ長を超えるデータを伝送する場合は複数回に分割して無線伝送する機能を有し、
エレベータ制御装置あるいは群管理制御装置と、乗りかごとを、親局と子局に分けて、親局子局の順に逐次伝送を繰り返して無線伝送を行うことを特徴とする請求項１乃至請求項５のいずれかに記載のエレベータのデータ伝送システム。
【請求項７】
予め指示された時間あるいは回数、無線伝送が滞るかデータ異常を検出した場合、該当するエレベータを最寄り階に停止させるかあるいは、救出階に停止させ、無線伝送の復旧を試み、
無線伝送が復旧した場合は、エレベータの運転を再開し、
無線伝送が復旧しない場合は、救出運転に切り替えることを特徴とする請求項１乃至請求項６のいずれかに記載のエレベータのデータ伝送システム。
【請求項８】
近接する複数階のエレベータホールに設置される、乗りかご呼び登録釦、現在階床表示案内板、サービス階案内表示のうちの少なくとも１つの制御を行うホール情報制御装置に、少なくとも１階床あるいは１箇所の制御信号をまとめ、前記ガイドレール近傍に設置した送受信用アンテナを介して、エレベータ制御装置あるいは群管理制御装置と無線伝送することを特徴とする請求項１乃至請求項７のいずれかに記載のエレベータのデータ伝送システム。
【発明の詳細な説明】
【技術分野】
【０００１】
本発明は、エレベータ制御装置あるいは群管理制御装置と、乗りかごとのデータ伝送を無線で行うエレベータのデータ伝送システムに関する。
【背景技術】
【０００２】
一般に、エレベータのデータ伝送システムにおいては、テールコードを介して有線でエレベータ制御装置あるいは群管理制御装置と、乗りかご間のデータ伝送を行う方法が主流であった。しかしながら、近年建築物の高層化や、情報伝送量の増加に伴い、テールコード重量が増加し、また、エレベータ高速化に伴うテールコードの挙動によって、エレベータの乗り心地に悪影響を及ぼすようになってきたため、無線によるデータ伝送システムの開発が進められてきた。
【０００３】
このようなエレベータのデータ伝送システムとしては、無線伝送経路を複数用意し、異常検出時には、伝送回線を切り替えたり（例えば、特許文献１参照）、データ伝送周期が相互に重ならないようにして、全ての無線伝送が休止中の場合はデータ伝送異常として最寄り階に停止させたり（例えば、特許文献２参照）することにより、無線伝送の信頼性を確保するものがある。
【０００４】
また、エレベータホールの乗りかご呼び登録釦や現在階床案内表示やサービス階案内表示を制御する無線端末装置を設け、データを無線端末経由で中継して、目的とする端末や制御装置に伝送する方式（例えば、特許文献３及び特許文献４参照）や、無線伝送データを多重化して双方向に伝送したり、無線電波の間接波による干渉を抑制するために、無線アンテナにレードームを設けたり（例えば、特許文献５参照）、乗りかごと無線アンテナの距離により送信電波出力及び受信感度を調整したりする方式（例えば、特許文献６参照）や、エレベータガイドレールを送信アンテナとして用いた無線データ表示装置（例えば、特許文献７参照）が提案されている。
【特許文献１】特許第２６１８１３８号公報（４頁３６行）
【特許文献２】特許第３１０４８２８号公報（２頁４５行）
【特許文献３】特開２００１−１５１４２９号公報
【特許文献４】特開２００２−３４８０６１号公報
【特許文献５】特開２００１−３４１９５１号公報（２頁３４行）
【特許文献６】特開２００２−２３４６７７号公報（２頁１６行）
【特許文献７】特開平５−１１６８７１号公報（２頁４行）
【発明の開示】
【発明が解決しようとする課題】
【０００５】
上述のエレベータ用無線伝送を行う方法においては、次のような課題があった。
【０００６】
（１）昇降路内の機器設置余裕度が年々少なくなってきているところに、無線伝送経路用の専用ケーブルを新たに敷設するため、この空間を確保することが困難で、ケーブルの保守も必要となる。
【０００７】
（２）無線端末を数ｍ置きに設置するため製造コストが上昇する。また、データを複数の無線端末を中継して伝送するため、データ伝送の遅延時間が大きくなり、エレベータの実動作と乗りかごの階床表示遅れ等が発生するので、この補正を行うには、ハードウェアあるいはソフトウェアの追加変更が必要となるため、さらに製造コスト並びに、調整コストが上昇する。
【０００８】
（３）エレベータ特有の制御信号等を多重化したり、エレベータ乗りかご位置により送信電波出力や受信感度の調整を行ったりするため、エレベータ専用の無線伝送装置を開発する必要があり、また、無線部の電波出力や周波数によっては、エレベータ管理者に無線局を使用するための免許が必要となる場合があるため、開発、運用コストが上昇する。
【０００９】
（４）ガイドレールを送信アンテナとして利用する場合、既設エレベータへの情報表示装置追加には効果があるが、制御信号の送受信が出来なければ、テールコードの信号線を実質的に減らすことが出来ない。
【００１０】
また、横方向もしくは縦方向に動作可能なマルチかごシステムを実現する場合、横方向及び縦方向への動作切り替え部分のデータ無線伝送を安定的に行うことが出来ないという課題があった。
【００１１】
本発明は上記従来技術の課題を解決するために為されたものであり、安価に安定した無線データを伝送することの出来るエレベータのデータ伝送システムを提供することを目的とする。
【課題を解決するための手段】
【００１２】
上記目的を達成するために、本発明は、昇降路内にガイドレールを有し、エレベータ制御装置と乗りかごとのデータ伝送を無線で行うエレベータのデータ伝送システムにおいて、昇降路内のガイドレールの内、少なくとも１本をエバネセント通信用アクセスポイントと接続し、乗りかごに送受信用アンテナを設けて、制御信号を無線伝送することを特徴とする。
【００１３】
また、本発明は、複数のエレベータが横方向もしくは縦方向に移動可能な機能を有し、エレベータ制御装置あるいは群管理制御装置と、乗りかごとのデータ伝送を無線で行うエレベータのデータ伝送システムにおいて、昇降路内のガイドレールの内、少なくとも１本をエバネセント通信用アクセスポイントと接続し、各々の乗りかごに送受信用アンテナを設けて、制御信号を無線伝送することを特徴とする。
【００１４】
さらに、本発明は、昇降路内に、隣接する複数のエレベータが配置され、各々のエレベータが異なるガイドレールに沿って昇降し、エレベータ制御装置あるいは群管理制御装置と、乗りかごとのデータ伝送を無線で行うエレベータのデータ伝送システムにおいて、昇降路内のガイドレールの内、ほぼ中央に位置する１本をエバネセント通信用アクセスポイントと接続し、各々の乗りかごに送受信アンテナを設けて、制御信号を無線伝送することを特徴とする。
【発明の効果】
【００１５】
本発明によれば、エバネセント通信を利用して、エレベータ制御装置用（または群管理制御装置用）の無線送受信用アンテナとしてガイドレールを用いるため、乗りかごの無線送受信アンテナとの無線通信距離が固定され、一般的な無線伝送用周波数との混信が抑制されるため、安定した無線データ伝送を行うことが出来る。
【発明を実施するための最良の形態】
【００１６】
以下、本発明に係るエレベータのデータ伝送システムの実施形態について、図面を参照して説明する。
【００１７】
（実施形態１）
まず、図１を用いて実施形態１を説明する。
【００１８】
本実施形態１は、機械室１や昇降路１１内やエレベータホールの戸袋部や乗りかご３の戸袋部等に設置されるエレベータ制御装置２、あるいは、図示しない群管理制御装置の通信インターフェース２０を、ハブ２１を介してエバネセント通信用アクセスポイント２２に接続し、また、昇降路１１内に敷設されるガイドレール１０ａまたは１０ｂのうち、少なくとも１本をエバネセント通信用アクセスポイント２２と接続し、ガイドレール１０ａあるいは１０ｂをエレベータ制御装置２、あるいは図示しない群管理制御装置の無線送受信用アンテナとして用いる。
【００１９】
また、乗りかご３において、かご内制御装置２６は、エレベータ制御装置２と、かご内制御装置２６との間で制御信号等を無線送受信するための信号変換処理を行う無線送受信機２４に接続され、かご外に設置される無線送受信用アンテナ２３に直接、あるいは無線アンテナケーブルを介して接続されている。また、かご内制御装置２６は、乗りかご３内で階床等を表示するインジケータ２７や行先階登録釦２８や図示しない照明灯、及び図示しないインターホンなどから構成され、乗りかご３が昇降路１１内の所定の位置に停止した場合に乗りかごドアとホールドアを同期させてドア開閉を制御するドア制御装置２５とエレベータ制御装置２間で制御信号を分配する機能を有している。
【００２０】
このように構成された本実施形態において、昇降路１１内に敷設されるガイドレール１０ａあるいは１０ｂと、各々の乗りかご３の上あるいは下または側面の、保守が行いやすく無線電波の送受信が安定して行える場所に無線送受信用アンテナ２３の方向及び距離を固定して設置し、エバネセント通信を利用してガイドレール１０ａあるいは１０ｂと無線送受信用アンテナ２３間で双方向の無線伝送を行い、エレベータ制御装置２あるいは図示しない群管理制御装置と乗りかご３間の制御信号伝送を行う。
【００２１】
この制御信号により、乗りかご３内では、行先階床や乗りかごの現在の階床等をインジケータ２７に表示したり、エレベータ制御装置２がサービス可能な階床の行先階登録釦２８の照明を点灯したり、行先階登録釦２８を押すことでエレベータ制御装置２が停止可能と判断した階床の行先階登録釦２８の照明を点灯あるいは点滅、または消灯したり、図示しないインターホンによる外部との連絡信号の送受信及び音声出力や図示しない照明灯の点灯消灯などを制御する。また、ドア制御装置への制御信号授受を図示しないバスあるいはＲＳ−２３２ＣやＲＳ−４２２やＲＳ−４８５やイーサネット（登録商標）またはＢｌｕｅｔｏｏｔｈ（登録商標）などの既知のシリアル伝送規格を用いて行い、ドアの開閉を制御する。
【００２２】
本実施形態によれば、エバネセント通信を利用して、エレベータ制御装置用の無線送受信用アンテナとしてガイドレールを用いるため、乗りかごの無線送受信アンテナとの無線通信距離が固定され、一般的な無線伝送用周波数との混信が抑制されるため、安定した無線データ伝送を行うことが出来る。
【００２３】
（実施形態２）
次に、本発明に係るエレベータのデータ伝送システムの実施形態２を、図２を用いて説明する。なお実施形態１と同一の構成には同一の符号を付し、重複する説明は省略する。
【００２４】
本実施形態２は、横方向もしくは縦方向に動作可能なマルチかごシステムにおいて、各々の乗りかご３ａ並びに３ｂに設けられた図１と同様の機能を有するかご内制御装置２６ａ並びに２６ｂは、エレベータ制御装置２と、かご内制御装置２６ａ並びに２６ｂとの間で制御信号等を無線送受信するための信号変換処理を行う無線送受信機２４ａ並びに２４ｂに接続され、かご外に設置される無線送受信用アンテナ２３ａ並びに２３ｂに直接、あるいは無線アンテナケーブルを介して接続されている。また、無線送受信機２４ａまたは２４ｂには、無線送受信アンテナ２３ａあるいは２３ｂを補完する図示しない無線送受信アンテナ２３ａ１並びに２３ｂ１を接続可能な構成である。
【００２５】
かご内制御装置２６ａ及び２６ｂは、乗りかご３ａ並びに３ｂ内で階床等を表示するインジケータ２７ａ並びに２７ｂや行先階登録釦２８ａ並びに２８ｂや図示しない照明灯、及び図示しないインターホンなどから構成され、乗りかご３ａ並びに３ｂが昇降路１１内の所定の位置に停止した場合に乗りかごドアとホールドアを同期させてドア開閉を制御するドア制御装置２５ａ並びに２５ｂとエレベータ制御装置２間で制御信号を分配する機能を有している。また、図示しない横行部には、横行方向への図示しないガイドレールが敷設され、縦行方向のガイドレール１０ａあるいは１０ｂのうち少なくとも１本と図示しない金属構造体あるいは図示しないアンテナケーブルを介して接続されている。
【００２６】
このように構成された本実施形態において、乗りかご３ａまたは３ｂが縦行する場合は、無線送受信機２４ａまたは２４ｂは、無線送受信アンテナ２３ａまたは２３ｂを選択して使用し、横行時は２３ａ１または２３ｂ１に切り替えて無線送受信を行う。あるいは、無線電波感度が良好な無線送受信アンテナ２３ａと２３ａ１あるいは２３ｂと２３ｂ１を自動選択切り替えする機能を付加する。
【００２７】
本実施形態によれば、エバネセント通信を利用して、エレベータ制御装置用の無線送受信用アンテナとして縦方向並びに横方向のガイドレールを１つのアンテナとして結合して利用し、乗りかごに敷設される２台の送受信アンテナを切り替えて使用するため、縦行と横行動作の切り替え時でも安定した無線データ伝送を行うことが出来る。
【００２８】
（実施形態３）
次に、本発明に係るエレベータのデータ伝送システムの実施形態３を、図３を用いて説明する。なお実施形態１〜２と同一の構成には同一の符号を付し、重複する説明は省略する。
【００２９】
本実施形態３は、昇降路内に、少なくとも２台以上の隣接する乗りかご３ａあるいは３ｂが配置され、各々の乗りかごが異なるガイドレール１０ａ１〜１０ａ４と１０ｂ１〜１０ｂ４に沿って昇降するエレベータシステムで構成される。昇降路内のガイドレール１０ａ１、１０ａ２、１０ａ３、１０ａ４、１０ｂ１、１０ｂ２、１０ｂ３、１０ｂ４の内、ほぼ中央に位置する例えば１０ａ２の１本をエバネセント通信アクセスポイント２２と接続し、各々の乗りかご３ａ、または３ｂの上あるいは下または側面の、保守が行いやすく無線電波の送受信が安定して行える場所に乗りかご３ａまたは３ｂの無線送受信用アンテナ２３ａ、２３ｂを設ける。
【００３０】
このように構成された本実施形態において、昇降路に敷設されるほぼ中央に位置する例えばガイドレール１０ａ２と、乗りかごに設置する無線送受信用アンテナ２３ａ及び２３ｂの方向及び距離を固定し、エバネセント通信を利用してガイドレール１０ａ２と無線送受信用アンテナ２３ａ及び２３ｂ間で双方向の無線伝送を行い、図示しないエレベータ制御装置あるいは群管理制御装置と乗りかご３ａ及び３ｂ間の制御信号伝送を既知のポーリング制御したり時分割制御したりして行う。
【００３１】
本実施形態によれば、エレベータ制御装置あるいは群管理制御装置と、少なくとも２台以上の隣接する乗りかごとの制御信号の無線伝送を、ポーリング制御や時分割制御して行うため、ハードウェアを最小限の構成に出来、安価な無線データシステムを構成できる。
【００３２】
（実施形態４）
次に、本発明に係るエレベータのデータ伝送システムの実施形態４を、図４を用いて説明する。なお実施形態１〜３と同一の構成には同一の符号を付し、重複する説明は省略する。
【００３３】
本実施形態４は、乗りかごに設ける送受信アンテナの死角が出来ないようにするため、複数の隣接する昇降路内に敷設される乗りかごに対して、少なくとも相対する一組のガイドレール例えば１０ａ１及び１０ａ２を建屋に固定する図示しないレールブラケットと、金属構造体２９あるいはアンテナケーブルを用いて少なくとも１カ所接続し、この内１本のガイドレール例えば１０ａ１をエバネセント通信アクセスポイント２２と接続し、乗りかご３ａの上あるいは下の、保守が行いやすく無線電波の送受信が安定して行える場所に乗りかご３ａの無線送受信用アンテナ２３ａを設ける。また、無線送受信アンテナ２３ａに接続する図示しない無線送受信機は、複数の受信電波からより受信感度の良い電波を選択する機能を有する。
【００３４】
同様に、乗りかご３ｂ用の相対するガイドレール１０ｂ１と１０ｂ２、及び乗りかご３ｃ用の相対するガイドレール１０ｃ１と１０ｃ２を建屋に固定する図示しないレールブラケットと、金属構造体２９あるいはアンテナケーブルを用いて接続し、さらに各々のガイドレール１０ａ１、１０ａ２、１０ｂ１、１０ｂ２、１０ｃ１、１０ｃ２は金属構造体２９あるいはアンテナケーブルを介して接続されて構成されている。
【００３５】
このように構成された本実施の形態において、乗りかご３ａ用の少なくとも１対のガイドレール１０ａ１及び１０ａ２と、乗りかご３ａの上あるいは下または側面の、保守が行いやすく無線電波の送受信が安定して行える場所に無線送受信用アンテナ２３ａを設置する。同様に乗りかご３ｂ用の少なくとも１対のガイドレール１０ｂ１及び１０ｂ２と、乗りかご３ｂの上あるいは下または側面の、保守が行いやすく無線電波の送受信が安定して行える場所に無線送受信用アンテナ２３ｂを設置し、また、乗りかご３ｃ用の少なくとも１対のガイドレール１０ｃ１及び１０ｃ２と、乗りかご３ｃの上あるいは下または側面の、保守が行いやすく無線電波の送受信が安定して行える場所に無線送受信用アンテナ２３ｃを設置する。
【００３６】
エバネセント通信を利用してガイドレール１０ａ１及び１０ａ２並びに１０ｂ１及び１０ｂ２並びに１０ｃ１及び１０ｃ２と無線送受信用アンテナ２３ａ及び２３ｂ及び２３ｂとの間で双方向の無線伝送を行い、図示しないエレベータ制御装置あるいは群管理制御装置と乗りかご３ａ及び３ｂ及び３ｃ間の制御信号伝送を既知のポーリング制御したり時分割制御したりして行う。
【００３７】
本実施形態によれば、エレベータ制御装置あるいは群管理制御装置と、少なくとも２台以上の隣接する乗りかごとの制御信号の無線伝送を、ポーリング制御したり時分割制御したりして行うため、ハードウェアを最小限の構成で安価に構成出来るとともに、エバネセント通信用アンテナとして乗りかごに対する少なくとも１対のガイドレールを使用するため、他の乗りかごの位置に関係無く、より安定した無線データ伝送を行うことが出来る。
【００３８】
（実施形態５）
次に、本発明に係るエレベータのデータ伝送システムの実施形態５を、図５を用いて説明する。なお実施形態１〜４と同一の構成には同一の符号を付し、重複する説明は省略する。
【００３９】
本実施形態５は、ガイドレール１０とガイドレール１０を建家に固定するためのレールブラケット３０と建家ブラケット３２の間に電波吸収材３１を設ける。このように構成された本実施の形態において、ガイドレール１０から建屋への無線電波を減衰させ、さらに建屋からガイドレール１０への無線電波を減衰させる。
【００４０】
本実施の形態によれば、隣接昇降路内や建屋内でエバネセント通信を利用した場合でも、電波吸収材により相互に影響を及ぼす無線電波を減衰させて混信が抑制されるため、安定した無線データ伝送を行うことが出来る。
【００４１】
（実施形態６）
次に、本発明に係るエレベータのデータ伝送システムの実施形態６を、図６を用いて説明する。なお実施形態１〜５と同一の構成には同一の符号を付し、重複する説明は省略する。
【００４２】
本実施形態６は、エレベータ制御装置２あるいは図示しない群管理制御装置を親局とし、乗りかご３ａ、３ｂ、３ｎを各々子局１、子局２、子局ｎとして構成する。
【００４３】
このように構成された本実施の形態において、１度に伝送可能な最大データ長を予め指示し、最大データ長を超えるデータを伝送する場合は複数回に分割して無線伝送する機能を有するエレベータ制御装置２あるいは図示しない群管理制御装置の親局から、子局１へ乗りかごＩＤなどで構成されるヘッダや該乗りかごの現在階床や移動方向並びにサービス階床や停止予定階床や安全ＳＷの動作状態等で構成される親局からの制御データ及びヘッダから制御データまでの例えば水平パリティのＬＲＣからなる親局データを送信後、子局１から親局へ正常応答ＡＣＫあるいは異常応答ＮＡＫの応答信号を送信する。
【００４４】
応答信号送信後、他の乗りかごからの割込み要求を送信した場合に親局が受信処理出来る必要十分な待ち時間経過後、子局１が正常応答ＡＣＫを送信した場合は、乗りかごＩＤなどで構成されるヘッダやかご内機器や安全ＳＷの動作状態や行き先階登録釦２８等で構成される子局からの制御データ及びヘッダから制御データまでの例えば水平パリティのＬＲＣからなる子局データを返信する。親局が子局データを正常認識した場合正常応答ＡＣＫを、正常認識出来なかった場合異常応答ＮＡＫを送信する。
【００４５】
続いて、親局から子局２へ親局データを送信し、子局２から親局へ前述と同様の応答信号を送信する。この伝送を子局ｎまで繰り返し、一般にポーリングと呼ばれる伝送を行う。
【００４６】
また、乗りかご３内の行先階登録釦２８や図示しない安全ＳＷなどの制御信号データの伝送優先度を高く設定し、ポーリングモードのデータ伝送に割り込ませて高優先度のデータ伝送を行う。例えば、図６の下側の部分に示すように、ｔ１の直後に、割込み要求のある子機ｎから、ヘッダと割込み要求ＩＮＴを送信する。親局が割込み要求を正常認識できたら正常応答ＡＣＫを送信し、割込み要求を発報した子局ｎは、ＡＣＫ受信後、子局データを送信する。親局が正常応答ＡＣＫを送信後、ポーリングモードに戻るため、子局２に対しヘッダと継続要求ＣＮＴを送信後、子局２から継続して子局データの送信を再開してポーリングモードに戻る。また、割込み要求時、ＮＡＫを受信した場合は、再送信を試みる。再送信しても連続して予め決められた回数ＮＡＫを受信した場合、異常としてエレベータを最寄り階あるいは救出階に停止させる。
【００４７】
尚、１度に伝送可能な最大データ長は、子局ｎまでの伝送にかかる時間を基に、割込み用データ伝送に必要な時間を加味して決定することが望ましい。
【００４８】
本実施形態によれば、何らかの原因で安全ＳＷや安全装置が働いた場合でも伝送優先度を高く設定して、割込みで子局データを伝送出来るため、伝送遅れを最小限に止めて、安全性の高いエレベータのデータ伝送システムを提供することが出来る。
【００４９】
（実施形態７）
次に、本発明に係るエレベータのデータ伝送システムの実施形態７を、図７を用いて説明する。なお実施形態１から６と同一の構成には同一の符号を付し、重複する説明は省略する。
【００５０】
本実施形態７は、予め指示された時間あるいは回数、無線伝送が滞るかまたはデータ異常を検出した場合（図７のステップＳＡでＹＥＳ）、該当するエレベータを最寄り階、あるいは救出階に停止させ、無線伝送の復旧を試みる機能（図７のステップＳＢ、ＳＣ）を有する事を特徴とするものである。また、マルチかごシステムの場合は、横行方向に図示しない救出ゾーンを設ける。
【００５１】
このように構成された本実施形態において、伝送異常を検出してエレベータ制御装置あるいは群管理装置に異常発生履歴を記録し、最寄り階、または救出階に停止後、無線伝送の復旧を試み、無線伝送が復旧した場合は、エレベータの運転を再開する。無線伝送が復旧しない場合は、救出運転に切り替えて、乗客を乗りかご３内から救出し、異常発生を、図示しない集中監視盤、あるいは図示しない監視センターに発報する。また、マルチかごシステムの場合、異常を検出した乗りかご３を図示しない救出ゾーンに到着後、横行方向に避難させる。
【００５２】
本実施形態によれば、何らかの原因で無線伝送が滞るかデータ異常を検出した場合でも、リカバリー処理を行うため、ノイズ等で発生すると考えられる異常誤検出時の復旧が容易に行え、また、復旧しない場合は、救出運転に切り替わって、異常発報するため、乗客の閉じこめ事故を減らすことが出来る。また、マルチかごシステムにおいては、異常を検出した乗りかごを救出ゾーンに待避できるため、エレベータ運行への影響を最小限に抑制できる。
【００５３】
（実施形態８）
次に、本発明に係るエレベータのデータ伝送システムの実施形態８を、図８を用いて説明する。なお実施形態１〜７と同一の構成には同一の符号を付し、重複する説明は省略する。
【００５４】
本実施形態８は、エレベータホールに設置される、乗りかご呼び登録釦４０ａと４０ｂと４０ｃ及び４０ｎや現在階床表示案内板４１ａと４１ｂと４１ｃ及び４１ｎや図示しないサービス階案内表示器の制御を行うホール情報制御装置４２に、少なくとも１階床あるいは１箇所以上の制御信号がまとめて接続され、無線送受信機５１を介して昇降路１１内のガイドレール１０ａあるいは１０ｂ近傍に設置される送受信アンテナ５０に直接あるいは無線アンテナケーブルを介して接続し、構成される。また、エレベータの停止階が多い場合や隣接昇降路内に多数の乗りかごが配置される場合は、ホール情報制御装置４２及び送受信アンテナ５０及び無線送受信機５１を複数設けても良い。
【００５５】
このように構成された本実施形態において、エレベータホールに設置される乗りかご呼び登録釦例えば４０ａが押されると、階床判別情報を伴う上昇あるいは下降釦データがホール情報制御装置４２で生成され、図示しないバスあるいはＲＳ−２３２ＣやＲＳ−４２２やＲＳ−４８５やイーサネット（登録商標）あるいはＢｌｕｅｔｏｏｔｈ（登録商標）等の既知のシリアル伝送規格により無線送受信機５１にシリアル伝送され、送受信アンテナ５０を介してガイドレール１０ａとの間で無線伝送される。階床判別情報を伴う上昇あるいは下降釦データは、エバネセント通信用アクセスポイント２２及びハブ２１を介して信号変換インターフェース２０により、エレベータ制御装置２が判別可能な情報に復元され、エレベータ制御装置２あるいは図示しない群管理制御装置により、乗りかご３あるいは他の乗りかごを要求のあった階床へ移動させる。
【００５６】
エレベータ制御装置２あるいは図示しない群管理制御装置は、乗りかご３あるいは他の乗りかごが、階床を通過するタイミングに併せてエレベータ制御装置２あるいは図示しない群管理制御装置が制御する全ての乗りかごの移動方向を含めた通過階床データを生成し、信号変換インターフェース２０を介して前述のシリアル伝送規格に変換し、ハブ２１を介してエバネセント通信用アクセスポイント２２によりガイドレール１０ａを介して送受信アンテナ５０及び２３との間で既知のポーリングモード制御あるいは同報制御により無線伝送を行う。
【００５７】
乗りかご３では、無線送受信機２４から、前述のシリアル伝送規格に復元された信号をかご内制御装置２６で分析し、インジケータ２７に現在階床を表示する。
【００５８】
一方、エレベータホールは、無線送受信機５１から前述のシリアル伝送規格に復元された信号をホール情報制御装置４２で分析し、ホール情報分析装置４２に接続された同一昇降路内の現在階床表示案内板４１ａと４１ｂと４２ｃ及び４１ｎに乗りかごの移動方向と共に表示する。また、各種の釦入力の確認や表示も無線送受信機単位でポーリング制御により行う。
【００５９】
本実施の形態によれば、エレベータ制御装置あるいは群管理制御装置と、少なくとも２台以上のマルチかご及び隣接かごとの制御信号の無線伝送と、エレベータホールに設置される乗りかご呼び登録釦や現在階床表示案内板やサービス階案内表示器を制御する少なくとも１台のホール情報制御装置との制御信号等の無線伝送も、ポーリング制御したり時分割制御したりして行うため、ハードウェアを最小限の構成で安価に構成出来る。
【図面の簡単な説明】
【００６０】
【図１】本発明の実施形態１に係るエレベータのデータ伝送システムの構成を示す図。
【図２】本発明の実施形態２に係るマルチかご構成時のエレベータのデータ伝送システムの構成を示す図。
【図３】本発明の実施形態３に係る隣接昇降路でのエレベータのデータ伝送システムの構成を示す平面図。
【図４】本発明の実施形態４に係る隣接昇降路でのエレベータのデータ伝送システムの構成を示す平面図。
【図５】本発明の実施形態５における電波吸収材を利用したレールブラケットと建屋ブラケットの構成を示す図。
【図６】本発明の実施形態６における伝送プロトコル例を示す図。
【図７】本発明の実施形態７における無線伝送異常発生時のフローチャート。
【図８】本発明の実施形態８におけるホール装置の例を示す図。
【符号の説明】
【００６１】
２…エレベータ制御装置
３…乗りかご
１０、１０ａ、１０ｂ…ガイドレール
２０…信号変換インターフェース
２２…エバネセント通信用アクセスポイント
２３、２３ａ、２３ｂ、２３ｃ、５０…無線送受信アンテナ
２４、５１…無線送受信機
２６…かご内制御装置
３１…電波吸収材
４２…ホール情報制御装置
【図１】
2005280887.tif 000003
【図２】
2005280887.tif 000004
【図３】
2005280887.tif 000005
【図４】
2005280887.tif 000006
【図５】
2005280887.tif 000007
【図６】
2005280887.tif 000008
【図７】
2005280887.tif 000009
【図８】
2005280887.tif 000010